(57)【要約】【課題】レジカウンターにおける店員の作業効率の向上及びレジ袋等備品の効率的な収納を実現しつつ、店舗タイプに応じて形態・機能を適宜変更可能、かつ開店後にあっても機能の追加やレイアウトの変更に対応可能な、レジカウンター用サッカ台を提供すること。【解決手段】対面方向の店員側に設けられた天板と、対面方向の顧客側に設けられた手荷物台と、開口部が対面方向の店員側に設けられ、備品を収納可能に構成された引き出し棚とを有し、天板と手荷物台とが各々レジカウンター上面と平行でありつつ段差をもって一体的に形成され、備品を収納可能な引き出し棚をレジカウンター上面と天板との間に設ける。【選択図】  図１
2010035767.tif 000002
【特許請求の範囲】
【請求項１】
小売店舗におけるレジカウンター上面に着脱可能に装着するサッカ台であって、
対面方向の店員側に設けられた天板と、
対面方向の顧客側に設けられた手荷物台と、
開口部が対面方向の店員側に設けられ、備品を収納可能に構成された引き出し棚と、を有し、
前記天板と前記手荷物台とは、各々レジカウンター上面と平行でありつつ、段差をもって一体的に形成され、
前記引き出し棚は前記レジカウンター上面と前記天板との間に設けられていることを特徴とするサッカ台。
【請求項２】
小売店舗におけるレジカウンター上面に着脱可能に装着するサッカ台であって、
レジカウンター対面方向の店員側に設けられた第一の天板と、
前記第一の天板に連接され、前記第一の天板上で対面方向顧客側に設けられた第二の天板と、
開口部が対面方向の店員側に設けられ、備品を収納可能に構成された引き出し棚と、を有し、
前記引き出し棚は前記レジカウンター上面と前記第一の天板、及び前記第一の天板と前記第二の天板との間に各々設けられていることを特徴とするサッカ台。
【請求項３】
対面方向顧客側に、前記第二の天板と段差をもって一体的に形成された手荷物台を更に有することを特徴とする、請求項２に記載のサッカ台。
【請求項４】
前記一体的に形成された天板及び手荷物棚は、垂直方向において一部重複することを特徴とする、請求項１又は請求項３に記載のサッカ台。
【請求項５】
前記手荷物棚は、前記レジカウンター天板よりも低い位置に設けられたことを特徴とする、請求項１から請求項４のいずれかに記載のサッカ台。
【請求項６】
前記手荷物棚に、不要なレシート等の受け皿が設けられたことを特徴とする、請求項１から請求項５のいずれかに記載のサッカ台。
【請求項７】
前記引き出し棚は、もっとも奥に挿入した状態においてなお内容物が視認可能な隙間が生じることを特徴とする、請求項１から請求項６のいずれかに記載のサッカ台。
【請求項８】
前記隙間は、前記引き出し棚の開口部側面の開口方向への傾斜により生じていることを特徴とする、請求項７に記載のサッカ台。
【請求項９】
前記隙間は、前記天板の木口が斜めにカット処理されていることで生じていることを特徴とする、請求項７に記載のサッカ台。
【発明の詳細な説明】
【技術分野】
【０００１】
本発明は、小売店舗、特にコンビニエンスストアにおけるカウンターにおいて用いられるサッカ台に関する。
【背景技術】
【０００２】
近年、小売業界における店舗形態のシェア変動は著しい。既存の百貨店・スーパーマーケット・専門店などが不振ないしは伸び悩んでいるのに対して、コンビニエンスストアの店舗数は拡大し続けている。平成２０年２月現在、日本国内のコンビニエンスストアの店舗数は４万店舗を超えているほか、国外においても次々と新店舗が開かれており、例えば上海では２００７年末現在で１万店舗を超えている。
【０００３】
こうしたコンビニエンスストアにおいて、顧客は自ら店舗内の所望の商品を取り、レジカウンターにおいて決済を行なう。店舗内には商品持ち運び用のカゴを設置しているが、往々にして顧客が購入するのは一点ないし数点の僅かな点数の商品であり、この場合殆どの顧客は備え付けのカゴは使わず、素手で商品をレジまで持ち寄り、代金を支払う。
支払う代金も、購入する商品はほぼ小銭の範囲内（１，０００円以下）であり、かつ１円単位の端数を取り扱う頻度が極めて高い。コンビニエンスストアにおける平均買い物額は５８６．３円である（日本フランチャイズチェーン協会：０８年４月）。電子マネーによる決済も徐々に浸透しているものの、未だ現金決済の割合は高水準を維持している。
【０００４】
更にコンビニエンスストアの特徴として、多数の顧客を立て続けかつ瞬時に精算処理することが必要である、という点が上げられる。主な取扱商品に飲食品、雑誌等があり、朝の通勤通学前や昼食時にはレジの前に行列ができる光景は日々見受けられる。コンビニエンスストアの売上向上のためには、一顧客あたりのオペレーションタイムを極短化することが求められている。
【０００５】
加えて、立地に応じた店舗特性の相違がある。例えば郊外においては、相対的に広い敷地を有する大型の店舗が多く、主として乗用車で訪れる顧客がまとめて多くの点数の商品を購入する割合が高い。こうした場合は顧客もカゴを使うことが多く、個々の金銭のやり取り時間の短縮よりもレジ打ち時間の短縮がオペレーションタイムの極短化にはより寄与する。これに対して、例えばオフィスビル内に設けられた店舗では、店舗敷地そのものが狭く、レジカウンターの幅も相対的に狭くなる。そして飲料やガムなど、商品を一点のみ購入する顧客の割合が著しく多く、顧客がカゴを使うことは希である。この場合、精算処理の効率を高めるには、個々の金銭授受を短時間で行うことが不可欠である。
【０００６】
このように、コンビニエンスストアのレジカウンターにおいては、店舗の立地などによってその指向性が異なるものの、オペレーションタイムの極短化が恒常的な課題として存在していた。
【０００７】
更には、周辺環境という意味での立地だけではなく、開業する物件の敷地の形状や広さは千差万別であり、フランチャイズ店としての統一性を担保しつつ個々の店舗に応じた設計を行う必要があった。しかしながら従来のカウンター用什器は箱型の定形のものであり、店舗設営時における現場でのカウンター幅の調整などが困難であった。また効率のよい客導線を実現するためにレイアウトの変更を行う場合や、店舗の改廃に伴ってカウンター用什器を再利用する場面にあっても、箱型定形のものでは困難であった。
【０００８】
上記のような問題点に鑑み、レジカウンターの構成をモジュール化する試みが行われている。モジュール化にあたっては、レジカウンター什器の高さを所定のベース高さにすることが求められるが、レジカウンターには中華まんの保温器やＦＦ（ファーストフード）什器など重量の重い什器も設置されることが多く、これらに高さを合わせざるを得ない。これらの什器を設置する高さは通常７００〜７５０ｍｍとされている。什器の内容物である商品の取り出しを考慮すれば、これ以上の高さを設定することができないからである。しかし、カウンターのこの高さは、決済処理にあっては必ずしも作業効率が良いものとはいえない。カゴが多用される郊外型店舗であればともかく、オフィスビル内や繁華街の狭小店においては顧客、店員ともの手元から離れた高さでの金銭の授受となり、処理速度が落ちる原因ともなる。
【０００９】
したがって汎用的なレジカウンターモジュールを適用するにあたっては、レジカウンターにおける作業効率を維持向上させる仕組みが希求される。
【００１０】
特許文献１には、経年使用により傷や汚れが生じるカウンターの天板を補修することの困難性に鑑み、天板とこれを指示する脚からなる台本体と、その天板上面を覆う保護化粧板によって構成され、この保護化粧板が台本体に着脱可能に装着されていることを特徴とする店舗用カウンターが開示されている。また特許文献２には、デスク平面の客側の一部区画が２段に形成された応接用デスクが開示されている。しかし特許文献１においては、コンビニエンスストアにおけるオペレーションタイムの極小化を実現するにあたって有効な構成は何ら示されていない。また特許文献２は決済における金銭の授受を想定したものではなく、コンビニエンスストアにおける迅速な決済処理を実現することに寄与しない。
【００１１】
【特許文献１】特開平１１−１０３９８７
【特許文献２】特開２０００−２０１７４５
【発明の開示】
【発明が解決しようとする課題】
【００１２】
そこで本発明は、レジカウンターにおける店員の作業効率の向上及びレジ袋等備品の効率的な収納を実現しつつ、店舗タイプに応じて形態・機能を適宜変更可能、かつ開店後にあっても機能の追加やレイアウトの変更に対応可能な、レジカウンター用サッカ台を提供することを目的とする。
【００１３】
本発明は、以下のような構成を有する。
（１）小売店舗におけるレジカウンター上面に着脱可能に装着するサッカ台であって、対面方向の店員側に設けられた天板と、対面方向の顧客側に設けられた手荷物台と、開口部が対面方向の店員側に設けられ、備品を収納可能に構成された引き出し棚と、を有し、前記天板と前記手荷物台とは、各々レジカウンター上面と平行でありつつ、段差をもって一体的に形成され、前記引き出し棚は前記レジカウンター上面と前記天板との間に設けられていることを特徴とするサッカ台（請求項１）。
【００１４】
（１）に記載の発明によれば、レジカウンター上に所定の高さを有してサッカ台が設置されることにより、レジカウンターにおける決済作業の効率が向上する。またカウンターの顧客側に手荷物台が設けられていることから、ハンドバッグなどの荷物を持った顧客も一時的に手荷物台の上に置いて財布などを取り出すことができるため、金銭授受がよりスムーズに行なわれる。またレジカウンターと天板との間に設けられた引き出し棚に、レジ袋や割り箸など購入商品に応じた備品を備えておくことにより、店員のサッカ（袋詰め）処理の効率が向上する。
【００１５】
（２）小売店舗におけるレジカウンター上面に着脱可能に装着するサッカ台であって、レジカウンター対面方向の店員側に設けられた第一の天板と、前記第一の天板に連接され、前記第一の天板上で対面方向顧客側に設けられた第二の天板と、開口部が対面方向の店員側に設けられ、備品を収納可能に構成された引き出し棚と、を有し、前記引き出し棚は前記レジカウンター上面と前記第一の天板、及び前記第一の天板と前記第二の天板との間に各々設けられていることを特徴とするサッカ台（請求項２）。
【００１６】
（２）に記載の発明によれば、前述の効果に加え、高低差を設けられた二つの天板の存在により、個々の顧客の都度レジに金銭を整理して入れる時間が無いほど忙しく顧客対応に追われる状況であっても、決済の終わった顧客の金銭は一時的に第一の天板の上に落とし、第二の天板の上をきれいにした状態で次の顧客の対応に臨むことが可能となる。そのため複数の顧客の小銭が決済処理前に混ざってしまうといったトラブルを生じることなく、繁忙時の一顧客あたりのオペレーションタイムを極短化することができる。しかも天板の高低差の存在により、一時的に第一の天板の上に置かれている小銭が顧客からは見えにくく、店舗イメージを損なうことがなく、盗難を防止することもできる。
【００１７】
（３）対面方向顧客側に、前記第二の天板と段差をもって一体的に形成された手荷物台を更に有することを特徴とする、（２）に記載のサッカ台（請求項３）。
【００１８】
（３）に記載の発明によれば、ハンドバッグなどの手荷物を持って来店した顧客であっても、スムーズに財布等から金銭を取り出すことができ、オペレーションタイムの極短化に繋がる。
【００１９】
（４）前記一体的に形成された天板及び手荷物棚は、垂直方向において一部重複することを特徴とする、（１）又は（３）に記載のサッカ台（請求項４）。
【００２０】
（４）に記載の発明によれば、商品や金銭を置くための天板が対面方向でより顧客に近くまで設置することができるため、顧客が商品や金銭を置く際に置き易く、オペレーションタイムの極短化に寄与し得る。同時に天板と手荷物棚とは段差が設けられているから、垂直方向で重複部分が存在していても手荷物棚としての機能を奏することができ、より少ないスペースで所望の効果を実現することができる。
【００２１】
（５）前記手荷物棚は、前記レジカウンター天板よりも低い位置に設けられたことを特徴とする、（１）から（４）のいずれかに記載のサッカ台（請求項５）。
【００２２】
（５）に記載の発明によれば、顧客が自らの手荷物を一時的に置くときに置き易く、スムーズに財布などを取り出すことができる。
【００２３】
（６）前記手荷物棚に、不要なレシート等の受け皿が設けられたことを特徴とする、（１）から（５）のいずれかに記載のサッカ台（請求項６）。
【００２４】
（６）に記載の発明によれば、不要なレシートを受け取った顧客は一連の流れの中でレシートを処分することができ、また店舗側も敢えて別途不要なレシート用の入れ物を用意する必要が無い為、スペース効率の向上に繋がる。
【００２５】
（７）前記引き出し棚は、もっとも奥に挿入した状態においてなお内容物が視認可能な隙間が生じることを特徴とする、（１）から（６）のいずれかに記載のサッカ台。（請求項７）。
【００２６】
（７）に記載の発明によれば、通常立って応対している店員の目線からも、引き出し棚に収納された備品等の内容物が見え易くなっており、店員のサッカ処理効率の向上に繋がる。具体的な構造としては、引き出し棚の開口部側面を開口方向へ傾斜させたり（請求項８）、天板の木口を斜めにカット処理する（請求項９）ことが考えられる。
【００２７】
なお、本発明において「対面方向」とはレジカウンターを挟んで店員と顧客が立った際における、店員と顧客とを結ぶ直線方向、すなわちレジカウンターの奥行き方向を意味する。また「備品」とは、レジ袋、割り箸、フォーク、スプーン、ストローなど、サッカ処理にあたって用いられるものであり、主として顧客に手渡されるものをいう。また「一体的に形成」とは、デザインとして一体型に設計されていることを意味し、必ずしも一枚の板から加工処理されていることを意味しない。天板の素材としては人造大理石、積層合板、メラミンポストフォームなどが想定されるが、素材によって造形処理方法としては曲げ加工、インジェクション、繋ぎ合わせなどが考えられる。また「垂直方向において一部重複」とは、天板と手荷物台双方の天面が垂直方向において一部重なる領域を有する場合のほか、平面としては重複領域を含まない場合であっても、天板と手荷物台とを連接する部分において垂直方向で一部重複している場合をも含む。
【発明の効果】
【００２８】
このように、本発明にかかるサッカ台によれば、レジカウンターにおける処理、すなわち商品のＰＯＳスキャン処理や金銭授受の処理、サッカ処理がスムーズに行われる。このため一顧客あたりのオペレーションタイムの極短化を実現することができる。加えて頻用する備品をサッカ台そのものに収容しておくことにより、店員は無駄な動きを省いてサッカ処理を行なうことができる点でオペレーションタイムの極短化に資するほか、収納スペースの効率的な活用にもつながり、特に狭小店において有用といえる。
【発明を実施するための最良の形態】
【００２９】
以下、本発明の具体的実施形態を図示しつつ示す。
＜第一の実施形態＝通常店（請求項１に対応）＞
図１は、本発明の第一の実施形態におけるサッカ台の使用状態を示す斜視図である。レジカウンターＣの上には種々の什器や販促用備品が備え付けられる。例えば図示するように、ＰＯＳレジＰ、ＦＦ（ファーストフード）保温ケースＦなどが配される。本発明のサッカ台Ｓもこれらと並んでレジカウンターＣの上面に設置される。
【００３０】
ここでレジカウンターＣの高さｈは７５０ｍｍに設定されている。これはＦＦ保温ケースＦが通常内部に複数の棚を備えており、最上部の棚に店員が商品を出し入れすることを考慮した場合のベースの限界高さとされているからである。汎用的なモジュールとしてのレジカウンターＣは、各種什器を戴置することを考慮し、その最低高さにあわせて設計されている。一方で、一般的に狭い敷地面積の店舗が多いコンビニエンスストアでは、レジカウンターの下部も収納スペースとして活用したいというニーズが高いところ、ベースの高さを低くしすぎると必要な収納スペースを確保できないことから、モジュール設計であっても一定程度の高さを確保する必要がある。
【００３１】
ところでレジカウンターにおける決済作業、及びサッカ作業の効率を考慮した場合、手元の細かい作業を迅速に行う必要がある。そのためには作業を行う高さが店員の腹部から胸部相当の高さで行うことが望ましいところ、日本人成人男性の平均身長が約１７０ｃｍ、同じく成人女子が約１５８ｃｍであることを考慮した場合、７５０ｍｍでは十分に効率の良い作業を行うことができない。また、防犯の観点からも、レジカウンターの高さが低すぎると問題なしとしない。
【００３２】
そこで、本発明のサッカ台ＳをレジカウンターＣの上面に装着する。本実施例においては、サッカ台Ｓの天板の高さを１００ｍｍに設定している。もっとも高さはこれに限定されるものではなく、装着したときに作業効率の向上が実現できる高さ、具体的には５０ｍｍ〜２５０ｍｍ（装着した状態での作業高さが８００ｍｍから１０００ｍｍ）、より望ましくは８０ｍｍ〜１５０ｍｍ（同じく８３０ｍｍから９００ｍｍ）であればよい。またサッカ台Ｓの幅も、本実施例においては８７０ｍｍに設定しているが、これに限定されるものではなく、決済作業、サッカ作業を適切に行うことができる作業スペースが確保できる幅であればよい。
【００３３】
なおレジカウンターＣ上の各什器は、適宜配置変更を行うことが可能である。すなわち、図１においては右端にＰＯＳレジＰを配置し、左端にＦＦ保温ケースＦを配置し、サッカ台Ｓはその間に挟んで配置しているが、適宜配列を変更可能である。そのため、店舗のレイアウト変更やＰＯＳレジ数の変更を行いたい場合であっても、柔軟な配置変更が可能となる。
【００３４】
次に図２、図３及び図４を用いて、本発明にかかるサッカ台Ｓの詳細構造について述べる。図２はサッカ台Ｓを店員側、つまりレジカウンターＣの内側からみた態様で表した斜視図であり、図３はその対角、すなわち顧客側からみた態様で表した斜視図である。また図４は、図２におけるＡ−Ａ線にて表れる仮想断面図である。
【００３５】
サッカ台Ｓは、天板１と手荷物台２とが異なる高さになるように、連接部３を介して一体的に形成されている。各図からも見て取れるように、天板１、連接部３、及び手荷物台２は側面視略Ｚ字型になるように形成されている。本実施例においては天板１、連接部３及び手荷物台２の素材はメラミンポストフォームを想定しており、一枚板からの加熱加圧曲げ加工によって図示する形状に変形することを想定している。勿論これに限定する趣旨ではなく、人造大理石や積層合板などの材料を適宜採用可能であるが、この場合成型方法は素材の性質により異なる。
【００３６】
このサッカ台Ｓは、レジカウンターＣの天面上に着脱可能に固定される。固定の方法は特段限定されることは無く、ネジ止め、接着処理、貼着処理など作業によってズレが生じない程度の固定が行われれば問題はない。
【００３７】
天板１とレジカウンターＣの天面との間には、側壁４・・・４の内部に設けられたスライドレール４Ｒによって開口方向に出し入れ可能に構成された引き出し棚５が備えられている。ここには主としてサッカ処理の際に用いるレジ袋や割り箸、ストロー、スプーン、フォークなどを収納する。これにより、店員がサッカ処理を行う際の作業効率が向上する。なお本実施例においては、引き出し棚５が上下２段に設けられているが、先に述べたようにサッカ台Ｓ自体の高さによっても引き出し棚をしまうスペースが制約されることから、サッカ台Ｓの高さに応じて１段のみ、或いは３段以上の構成としてもよい。
【００３８】
また、連接部３は、天板１から、店員側から見て手前側に屈曲して手荷物台２に連接している。これにより、天板１がより広く、より顧客側に近いところまで届く形になり、顧客が商品や代金を天板１の上に置きやすくなる。と同時に、対向方向に幅を取りすぎることなく、手荷物台２の幅を十分に設けることができ、顧客は自らの手荷物から小銭を取り出すことがより容易に行えるようになる。加えて手荷物台２には不要なレシートを挿入可能は受け皿６が設けられているため、顧客は一連の流れの中で不要なレシートを処分することができ、一顧客あたりの所要時間の短縮に寄与する。
【００３９】
＜第二の実施形態＝狭小店（請求項２に対応）＞
次に本発明の第二の実施形態に係るサッカ台につき、図示しつつ説明する。この第二の実施形態は、主として狭小店における使用を想定したサッカ台である。狭小店においては、少額単品を購入する多数の顧客を迅速に処理する必要があり、都度金銭をレジ内に収容することが困難な程に迅速性が求められてる場面があることを想定している。なお既述の実施例と同一の構成については同一の符号を付し、共通する部分についてはその説明を省略する。
【００４０】
図５は第二の実施形態に係るサッカ台の使用状態を示す斜視図である。サッカ台Ｓ’は、
第一の実施形態と同様、他の什器（ＰＯＳレジＰ、ＦＦ保温ケースＦなど）と並んでレジカウンターＣの天面に適宜配置される。第一の実施例におけるサッカ台Ｓと異なる点は、天板が段差を有しており、店員に近い側に低い第一の天板１１が、顧客に近い側に高い第二の天板１２が配されるように構成されている点である。
【００４１】
図６、図７及び図８を用いて、第二の実施形態に係るサッカ台Ｓ’の構造を説明する。
【００４２】
図６はサッカ台Ｓ’を店員側、つまりレジカウンターＣの内側からみた態様で表した斜視図であり、図７はその対角、すなわち顧客側からみた態様で表した斜視図である。また図８は、図６におけるＢ−Ｂ線にて表れる仮想断面図である。
【００４３】
サッカ台Ｓ’は、第一の天板１１と、その上面に連接されて、レジカウンターＣのより顧客に近い側に設けられた第二の天板１２と、この第二の天板１２と、連接部３を介して一体的に形成された手荷物台２とが、各々異なる高さになるように形成されている。各図からも見て取れるように、第二の天板１２、連接部３、及び手荷物台２は側面視略Ｚ字型になるように形成されている。本実施例においても第一の天板１１、第二の天板１２、連接部３及び手荷物台２の素材は人造大理石を想定しており、一枚板からの加熱加圧曲げ加工によって図示する形状に変形することを想定している。勿論これに限定する趣旨ではなく、積層合板やメラミンポストフォームなどの材料を適宜採用可能であるが、この場合成型方法は素材の性質により異なる。
【００４４】
このサッカ台Ｓ’は、レジカウンターＣの天面上に着脱可能に固定される。固定の方法は特段限定されることは無く、ネジ止め、接着処理、貼着処理など作業によってズレが生じない程度の固定が行われれば問題はない。
【００４５】
第一の天板１１とレジカウンターＣの天面との間には、側壁４１・・・４１の内部に設けられたスライドレール４１Ｒによって開口方向に出し入れ可能に構成された第一の引き出し棚５１が備えられている。また第一の天板１１と第二の天板１２との間には、側壁４２・・・４２の内部に設けられたスライドレール４２Ｒによって開口方向に出し入れ可能に構成された第二の引き出し棚５２が設けられている。これらの引き出し棚には主としてサッカ処理の際に用いるレジ袋や割り箸、ストロー、スプーン、フォークなどを収納することができる。第一の引き出し棚には、例えばレジ袋を収めることができる。また第二の引き出し棚もフレキシブルストローが十分収められる奥行きになっており、その他の各種備品を適宜納めることができる。勿論この第二の引き出し棚にレジ袋を収めても良い。これにより、店員がサッカ処理を行う際の作業効率が向上する。また店舗内の収納効率も向上する。
【００４６】
また、段差を設けた二つの天板を有することにより、個々の顧客の決済処理の都度レジに金銭を整理して入れる時間が無いほどに切迫した顧客対応を求められる時間帯であっても、通常顧客は自らに近い側の天板、つまり第二の天板１２の上に商品と代金とを置くから、決済の終わった顧客の金銭は一時的に第一の天板１１の上に落とし、第二の天板の上をきれいにした状態で次の顧客の対応に望むことが可能になる。したがって、繁忙期においても複数の顧客の代金が混ざってしまうことにより生じるトラブルを回避することができ、同時に繁忙時であっても一顧客あたりのオペレーションタイムの極短化を実現することができる。段差のある低い天板（第一の天板１１）の上に一時的に金銭を配置するから、顧客からは見えづらく、店舗イメージを損なうことがなく、また盗難の危険性も少ない。
【００４７】
＜引き出し棚の説明（開口部の説明）＞
次に図９及び図１０を用いて、引き出し棚５の開口部の特徴につき説明する。図９は、サッカ台Ｓの部分拡大断面図である。先に述べた通り、引き出し棚５は天板１とレジカウンターＣの天面との間に設けられた空間において、側壁４・・・４に設けられたスライドレール４Ｒにより引き出し可能な収納として構成されている。引き出し棚５には割り箸やレジ袋などの各種備品を収納するところ、個々の顧客が購入する商品に対応して適切な備品を即座に取り出す必要がある。
【００４８】
ここで引き出し棚の開口部側側面５３は、中身を視認可能な隙間が生じるよう、引き出し方向に傾斜して構成されている。併せて天板１の小口部分１３も、垂直ではなく、引き出し内側に切れ込むように斜めにカット処理されている。本実施例ではこれらの傾斜角を約４５度としているが、適宜変更することができる。通常レジにて決済処理及びサッカ処理を行う店員は立った状態で作業を行うから、図１０に示すように、店員の眼の位置から引き出し棚５の中身を確認しやすく、サッカ処理を適切かつ迅速に行うことができる。更にはハンドル部５４は収容物を表すラベルを貼付する貼付面も兼ねているところ、ハンドル部５４は開口部側面５３と直交するように構成されているから、立った状態で作業を行う店員の目線に適した表示角となり、店員の作業効率の向上に寄与する。
【００４９】
なおここでは第一の実施形態におけるサッカ台Ｓを取り上げて説明したが、第二の実施形態におけるサッカ台Ｓ’においても同様の構成をとることにより、同様の効果が得られることは論を待たない。
【図面の簡単な説明】
【００５０】
【図１】本発明の第一の実施形態におけるサッカ台Ｓの使用状態斜視図である。
【図２】本発明の第一の実施形態におけるサッカ台Ｓの店員側からの斜視図である。
【図３】同じく、顧客側からの斜視図である。
【図４】図２におけるサッカ台ＳのＡ−Ａ端面図である。
【図５】本発明の第二の実施形態におけるサッカ台Ｓ’使用状態斜視図である。
【図６】本発明の第二の実施形態におけるサッカ台Ｓ’の店員側からの斜視図である。
【図７】同じく、顧客側からの斜視図である。
【図８】図６におけるサッカ台Ｓ’のＢ−Ｂ端面図である。
【図９】サッカ台Ｓの引き出し棚５部分の拡大端面図（図４におけるＣ−Ｃ拡大図）である。
【図１０】本発明のサッカ台Ｓを使用している状態の、店員の目線を示す側面図である。
【符号の説明】
【００５１】
Ｓ、Ｓ’        サッカ台
Ｃ              レジカウンター
Ｐ              ＰＯＳレジ
Ｆ              ＦＦ保温ケース
１              天板
１１            第一の天板
１２            第二の天板
２              手荷物台
３              連接部
４              側壁
４１            第一の側壁
４２            第二の側壁
５              引き出し棚
５１            第一の引き出し棚
５２            第二の引き出し棚
５３            開口部側面
５４            ハンドル部
６              受け皿
【図１】
2010035767.tif 000003
【図２】
2010035767.tif 000004
【図３】
2010035767.tif 000005
【図４】
2010035767.tif 000006
【図５】
2010035767.tif 000007
【図６】
2010035767.tif 000008
【図７】
2010035767.tif 000009
【図８】
2010035767.tif 000010
【図９】
2010035767.tif 000011
【図１０】
2010035767.tif 000012